(57)【要約】【課題】スマートフォン等はパソコンの入力方法を継承したものでタッチパネルの利点を活用していないのと、携帯電話においては各社独自の入力方法を誇示していて統一できない。【解決手段】全文字を１６分割し、分割された中から一つを選択することで、子音、母音と選択して２部文字を入力し、子音、母音、パッチムと選択し３部文字を入力することでスマートフォンは３回（３９９文字）と４回のキー操作で入力でき、携帯電話はスマートフォンの入力方法の一部変更により、３回から５回のキー操作で入力できるので現状のキー操作数を遥かに下回る入力方法が得られる。【選択図】  図１
2016099748.tif 000002
【特許請求の範囲】
【請求項１】
文字と部位の分類と組合せによる押下げ毎の選択対象の変更による文字入力と、該文字入力の過程の可視化による文字の分類とキーの役割変更による韓国語入力方法。
【発明の詳細な説明】
【技術分野】
【０００１】
本発明は、キーボードによる韓国語文字入力に関するものである。
【背景技術】
【０００２】
壱）タッチパネルを具備する、スマートファン等はソフトキーによるローマ字入力や、パソコン用のキーボード入力の応用で、キー数を減らして入力をしていた。
弐）表示画面とハードキーを具備する携帯電話は「天地人(チョンジイン) 」、「Ｅｚ(イージー)ハングル」、「ＳＫＹ(スカイ)ハングル」、「モトローラ方式」等の入力方法があり２回から１０回以上の押下げをして入力していた。
【発明の概要】
【発明が解決しようとする課題】
【０００３】
壱）スマートフォン等での入力は操作するキー数が多かった。
弐）携帯電話での入力は１文字を入力するのに押下げる回数が多かった。
【課題を解決するための手段】
【０００４】
以降、キーを押下げて戻す一連の操作を「押下げ」とし、キーボードから希望のキーを選択して押下げる一連の操作を「入力」とし、１文字を入力する１回目の押下げを待っている状態を「初期状態」とし、入力により希望する文字が確定してカーソルに表示され、該表示文字の次にカーソルが移動し初期状態になる一連の操作を「文字確定」とし、子音と母音とパッチムの一つ一つを「部位」とし、部位のみの文字を１部文字、子音と母音で構成した文字を「２部文字」とし、子音と母音とパッチムで構成した文字を「３部文字」とする。
【０００５】
壱）の課題に対して
子音を２組に分類し、母音を２組に分類し、パッチムを３組に分類し、各組から成る構成文字を２部文字と３部文字に分類し、組による構成を同じくする文字を各集団として分類する。
２部文字から成る集団群を「２部班」とし、３部文字から成る集団群を「３部班」とする。
初期状態で、全集団内から一つの集団を選択（１回目）、該集団の子音の部位を入力（２回目）、該集団の母音の部位を入力（３回目）、該集団が２部班の文字なら自動的に文字確定する。
上記に続き、選択した集団が３部班の文字なら、該集団のパッチムの部位を入力（４回目）すると自動的に文字確定する。
ハ）では３回の入力で部文字が入力でき、ニ）では４回の入力で３部文字が入力できた。
【０００６】
弐）の課題に対して
壱）の応用であるが、キー数に制限が有るので、全集団内から該当キー数と同じ数の集団数に合わせ、該集団から一つの集団を入力（１回目）、該集団の子音の部位を入力（２回目）、該集団の母音の部位を入力（３回目）、該集団が２部班の文字なら自動的に文字確定する。
上記に続き、選択した集団が３部班の文字なら引き続き、該集団のパッチムの部位を選択（４回目）すると自動的に文字確定する。
イ）に続き、キー数に合わせた数の集団群以外の他の集団群による文字入力は、子音の部位入力時又は、母音入力時又は、パッチム入力時に未使用のキーにシフトキーのような機能を設け、該キーにて他の集団の呼び出しをする。
ハ）で未使用のキーが無い場合は、子音と母音とパッチムを、キー数に考慮して分類する。
【０００７】
ハードキーによる押下げの回毎に選択する文字又は、部位が変更され、該選択文字又は、部位を画面上又は、キー上に表示してキー選択操作の案内とする。
【発明の効果】
【０００８】
スマートフォン等では、１６個の選択文字（キー）から３回から４回の押下げで全ての文字が入力可能なので、従来からの文字入力速度が２倍近く（推測）早くなる。
携帯電話のデンワキーでは１２個のキーにより３回から５回の押し下げで全ての文字が入力可能なので、従来からの文字入力速度が３倍近く（推測）速くなる。
【図面の簡単な説明】
【０００９】
【図１】スマートフォン用の初期画面での待受けキーの配置正面図
【図２】スマートフォン用の子音１組での待受けキーの配置正面図
【図３】スマートフォン用の子音２組での待受けキーの配置正面図
【図４】スマートフォン用の母音１組での待受けキーの配置正面図
【図５】スマートフォン用の母音２組での待受けキーの配置正面図
【図６】スマートフォン用のパッチム１組での待受けキーの配置正面図
【図７】スマートフォン用のパッチム２組での待受けキーの配置正面図
【図８】スマートフォン用のパッチム３組での待受けキーの配置正面図
【図９】初期画面から子音１画面から母音１画面から文字決定の展開図
【図１０】初期画面から子音１画面から母音２画面からパッチム１画面から文字決定の展開図
【図１１】初期画面から子音２画面から母音１画面からパッチム２画面から文字決定の展開図
【図１２】初期画面から子音２画面から母音２画面からパッチム３画面から文字決定の展開図
【図１３】子音、母音、パッチムの各画面から部位を１部文字に変換する展開図
【図１４】初期画面から０１０画面と００２画面の選択による文字決定の展開図
【図１５】初期画面から０１０画面と１１３画面と５３２画面の選択による文字決定の展開図
【図１６】初期画面から０２０画面と２２９画面とＡ９４画面の選択による文字決定の展開図
【図１７】初期画面から０２０画面と３３２画面とＦ２１画面の選択による文字決定の展開図
【図１８】携帯電話正面図
【図１９】携帯電話のデンワキー抜粋図
【図２０】携帯電話の表示画面に初めに表示される案内図
【図２１】携帯電話の表示画面に表示される子音1と子音２の案内図
【図２２】携帯電話の表示画面に表示される母音1と母音２の案内図
【図２３】携帯電話の表示画面に表示されるパッチム1とパッチム２とパッチム３の案内図
【図２４】携帯電話でのカーソルと案内表の関係と文字入力による展開図
【図２５】図２４でのカーソルと案内表の位置関係の違いを示した展開図
【図２６】携帯電話での案内表の固定化と文字入力による展開図
【図２７】２個のキーでの文字入力における案内表図
【図２８】５個のキーでの文字入力における案内表図
【図２９】図２８以外の配列による文字入力における案内表図
【発明を実施するための形態】
【実施例１】
【００１０】
スマートフォン等の実施例で韓国文字の分類による集団化、キーと表示が一体化されて「表示キー」とし、該表示キーの説明、文字コード表及び入力過程を示す。
【００１１】
子音を２個の組に分類する。
子音１組→「表１」の１０個
子音２組→「表２」の９個
【表１】
2016099748.tif 000003
【表２】
2016099748.tif 000004
【００１２】
母音を２個の組に分類する。
母音１組→「表３」の１０個
母音２組→「表４」の１１個
【表３】
2016099748.tif 000005
【表４】
2016099748.tif 000006
【００１３】
パッチムを３個の組に分類する。
パッチム１組→「表５」の１０個
パッチム２組→「表６」の６個
パッチム３組→「表７」の１１個
【表５】
2016099748.tif 000007
【表６】
2016099748.tif 000008
【表７】
2016099748.tif 000009
【００１４】
２部文字と３部文字の組み合わせを、集団毎に分類する。
子音１組×母音１組の１００文字を第１集団とする。
子音１組×母音１組×パッチム１組の１０００文字を第２集団とする。
子音１組×母音１組×パッチム２組の６００文字を第３集団とする。
子音１組×母音１組×パッチム３組の１１００文字を第４集団とする。
子音２組×母音１組の９０文字を第５集団とする。
子音２組×母音１組×パッチム１組の９００文字を第６集団とする。
子音２組×母音１組×パッチム２組の５４０文字を第７集団とする。
子音２組×母音１組×パッチム３組の９９０文字を第８集団とする。
子音１組×母音２組の１１０文字を第９集団とする。
子音１組×母音２組×パッチム１組の１１００文字を第１０集団とする。
子音１組×母音２組×パッチム２組の６６０文字を第１１集団とする。
子音１組×母音２組×パッチム３組の１２１０文字を第１２集団とする。
子音２組×母音２組の９９文字を第１３集団とする。
子音２組×母音２組×パッチム１組の９９０文字を第１４集団とする。
子音２組×母音２組×パッチム２組の５９４文字を第１５集団とする。
子音２組×母音２組×パッチム３組の１０８９文字を第１６集団とする。
以上、全韓国文字の１１，１７２個を１６の集団に分類した。
【００１５】
上記、１６個の集団内から文字を抜粋し代表文字とする。
第１集団の代表文字を「表８」とする。
第２集団の代表文字を「表９」とする。
第３集団の代表文字を「表１０」とする。
第４集団の代表文字を「表１１」とする。
第５集団の代表文字を「表１２」とする。
第６集団の代表文字を「表１３」とする。
第７集団の代表文字を「表１４」とする。
第８集団の代表文字を「表１５」とする。
第９集団の代表文字を「表１６」とする。
第１０集団の代表文字を「表１７」とする。
第１１集団の代表文字を「表１８」とする。
第１２集団の代表文字を「表１９」とする。
第１３集団の代表文字を「表２０」とする。
第１４集団の代表文字を「表２１」とする。
第１５集団の代表文字を「表２２」とする。
第１６集団の代表文字を「表２３」とする。
【表８】
2016099748.tif 000010
【表９】
2016099748.tif 000011
【表１０】
2016099748.tif 000012
【表１１】
2016099748.tif 000013
【表１２】
2016099748.tif 000014
【表１３】
2016099748.tif 000015
【表１４】
2016099748.tif 000016
【表１５】
2016099748.tif 000017
【表１６】
2016099748.tif 000018
【表１７】
2016099748.tif 000019
【表１８】
2016099748.tif 000020
【表１９】
2016099748.tif 000021
【表２０】
2016099748.tif 000022
【表２１】
2016099748.tif 000023
【表２２】
2016099748.tif 000024
【表２３】
2016099748.tif 000025
【００１６】
以上、１６個の集団から２部文字により構成された第１、第５、第９、第１３の集団は２部班に分類され、３部文字により構成された他の集団は３部班に分類される。
【００１７】
以下、入力しようとする文字の構成種類を各集団の代表文字から選択し、該集団ごとに定められた組み合わせ順に配置表と同じ表示キーを選択し文字を入力する方法を示す。
【００１８】
図１はスマートフォン等のタッチパネルによるソフトキーボードの図で、１６個のマス目状に配置された配置表で初期画面用となり、各キーには表２４の初期表に示すよう文字の下に押下げによる入力信号の文字コード用の数値データが示されている。
【表２４】
2016099748.tif 000026
【００１９】
上記に続き各ソフトキーボードの説明で
図２の表示キーが子音１画面で文字コードとの関係が表２５の子音１表に示している。
図３の表示キーが子音２画面で文字コードとの関係が表２５の子音２表に示している。
図４の表示キーが母音１画面で文字コードとの関係が表２５の母音１表に示している。
図５の表示キーが母音２画面で文字コードとの関係が表２５の母音２表に示している。
図６の表示キーがパッチム１画面で文字コードとの関係が表２５のパッチム１表に示している。
図７の表示キーがパッチム２画面で文字コードとの関係が表２５のパッチム２表に示している。
図８の表示キーがパッチム３画面で文字コードとの関係が表２５のパッチム３表に示している。
以上の表示キー及び表は１２のマス目状に配置されている。
【表２５】
2016099748.tif 000027
【００２０】
図１の初期画面から選択された集団の代表文字により、切り替わる表示キーの画面が順次決まっていて下記に示す。
「表２６」（第１集団）を選択すると子音１画面（図２）と母音１画面（図４）で文字確定する。
「表２７」（第２集団）を選択すると子音１画面（図２）と母音１画面（図４）とパッチム１画面（図６）で文字確定する。
「表２８」（第３集団）を選択すると子音１画面（図２）と母音１画面（図４）とパッチム２（図７）画面で文字確定する。
「表２９」（第４集団）を選択すると子音１画面（図２）と母音１画面（図４）とパッチム３画面（図８）で文字確定する。
「表３０」（第５集団）を選択すると子音１画面（図２）と母音２画面（図５）で文字確定する。
「表３１」（第６集団）を選択すると子音１画面（図２）と母音２画面（図５）とパッチム１画面（図６）で文字確定する。
「表３２」（第７集団）を選択すると子音１画面（図２）と母音２画面（図５）とパッチム２画面（図７）で文字確定する。
「表３３」（第８集団）を選択すると子音１画面（図２）と母音２画面（図５）とパッチム３画面（図８）で文字確定する。
「表３４」（第９集団）を選択すると子音２画面（図３）と母音１画面（図４）で文字確定する。
「表３５」（第１０集団）を選択すると子音２画面（図３）と母音１画面（図４）とパッチム１画面（図６）で文字確定するる。
「表３６」（第１１集団）を選択すると子音２画面（図３）と母音１画面（図４）とパッチム２画面（図７）で文字確定する。
「表３７」（第１２集団）を選択すると子音２画面（図３）と母音１画面（図４）とパッチム３画面（図８）で文字確定する。
「表３８」（第１３集団）を選択すると子音２画面（図３）と母音２画面（図５）で文字確定する。
「表３９」（第１４集団）を選択すると子音２画面（図３）と母音２画面（図５）とパッチム１（図６）画面で文字確定する。
「表４０」（第１５集団）を選択すると子音２画面（図３）と母音２画面（図５）とパッチム２画面（図７）で文字確定する。
「表４１」（第１６集団）を選択すると子音２画面（図３）と母音２画面（図５）とパッチム３画面（図８）で文字確定する。
【表２６】
2016099748.tif 000028
【表２７】
2016099748.tif 000029
【表２８】
2016099748.tif 000030
【表２９】
2016099748.tif 000031
【表３０】
2016099748.tif 000032
【表３１】
2016099748.tif 000033
【表３２】
2016099748.tif 000034
【表３３】
2016099748.tif 000035
【表３４】
2016099748.tif 000036
【表３５】
2016099748.tif 000037
【表３６】
2016099748.tif 000038
【表３７】
2016099748.tif 000039
【表３８】
2016099748.tif 000040
【表３９】
2016099748.tif 000041
【表４０】
2016099748.tif 000042
【表４１】
2016099748.tif 000043
【００２１】
文字コードは、キーの押下げにより子音、母音、パッチムの各表で示されている部位の文字コードにより文字が選択されるが２部班の文字を選択すると同時に重複する同じ数値が選択され２桁の入力となる。
【００２２】
以下に４桁による文字コードの表を示す。
【表４２】
2016099748.tif 000044
【表４３】
2016099748.tif 000045
【表４４】
2016099748.tif 000046
【表４５】
2016099748.tif 000047
【表４６】
2016099748.tif 000048
【表４７】
2016099748.tif 000049
【表４８】
2016099748.tif 000050
【表４９】
2016099748.tif 000051
【表５０】
2016099748.tif 000052
【表５１】
2016099748.tif 000053
【表５２】
2016099748.tif 000054
【表５３】
2016099748.tif 000055
【表５４】
2016099748.tif 000056
【表５５】
2016099748.tif 000057
【表５６】
2016099748.tif 000058
【表５７】
2016099748.tif 000059
【表５８】
2016099748.tif 000060
【表５９】
2016099748.tif 000061
【表６０】
2016099748.tif 000062
【表６１】
2016099748.tif 000063
【表６２】
2016099748.tif 000064
【表６３】
2016099748.tif 000065
【表６４】
2016099748.tif 000066
【表６５】
2016099748.tif 000067
【表６６】
2016099748.tif 000068
【表６７】
2016099748.tif 000069
【表６８】
2016099748.tif 000070
【表６９】
2016099748.tif 000071
【表７０】
2016099748.tif 000072
【表７１】
2016099748.tif 000073
【表７２】
2016099748.tif 000074
【表７３】
2016099748.tif 000075
【表７４】
2016099748.tif 000076
【表７５】
2016099748.tif 000077
【表７６】
2016099748.tif 000078
【表７７】
2016099748.tif 000079
【表７８】
2016099748.tif 000080
【表７９】
2016099748.tif 000081
【表８０】
2016099748.tif 000082
【表８１】
2016099748.tif 000083
【表８２】
2016099748.tif 000084
【表８３】
2016099748.tif 000085
【表８４】
2016099748.tif 000086
【表８５】
2016099748.tif 000087
【表８６】
2016099748.tif 000088
【表８７】
2016099748.tif 000089
【表８８】
2016099748.tif 000090
【表８９】
2016099748.tif 000091
【表９０】
2016099748.tif 000092
【表９１】
2016099748.tif 000093
【表９２】
2016099748.tif 000094
【表９３】
2016099748.tif 000095
【表９４】
2016099748.tif 000096
【表９５】
2016099748.tif 000097
【表９６】
2016099748.tif 000098
【表９７】
2016099748.tif 000099
【表９８】
2016099748.tif 000100
【表９９】
2016099748.tif 000101
【表１００】
2016099748.tif 000102
【表１０１】
2016099748.tif 000103
【表１０２】
2016099748.tif 000104
【表１０３】
2016099748.tif 000105
【表１０４】
2016099748.tif 000106
【００２３】
図１の枠に表示されている文字はその枠ごとキーと同じ機能を具備していて以下、初期画面から選択しながら、目標の文字を入力する方法を示す。
【００２４】
図９は「表１０５」の文字を入力しようとする時の展開図で、初期画面から「表１０５」と同じ文字構成集団の「表１０６」キーを押下げると（信号００）初期画面から子音１画面に切り替わり、該画面から「表１０７」キーを押下げると（信号２）次に母音１画面に切り替わり、該画面から「表１０８」キーを押下げると（信号６）図右側の「表１０５」（コード００２６）の文字か入力でき、２部班の文字は計３回の押下げで文字入力ができる。
【表１０５】
2016099748.tif 000107
【表１０６】
2016099748.tif 000108
【表１０７】
2016099748.tif 000109
【表１０８】
2016099748.tif 000110
【００２５】
図１０は「表１０９」の文字を入力しようとする時の展開図で、初期画面から「表１０９」と同じ文字構成集団の「表１１０」キーを押下げると（信号５）初期画面から子音１画面に切り替わり、該画面から「表１１１」キーを押下げると（信号３）次に母音２画面に切り替わり、該画面から「表１１２」キーを押下げると（信号２）パッチム１画面に切り替わり、該画面から「表１１３」キーを押下げると（信号５）図右側の「表１０９」（コード５３２５）の文字か入力でき、３部班の文字は計４回の押下げで文字入力ができる。
【表１０９】
2016099748.tif 000111
【表１１０】
2016099748.tif 000112
【表１１１】
2016099748.tif 000113
【表１１２】
2016099748.tif 000114
【表１１３】
2016099748.tif 000115
【００２６】
図１１は「表１１４」の文字を入力しようとする時の展開図で、図左側の初期画面から「表１１４」と同じ文字構成集団の「表１１５」キーを押下げると（信号Ａ）初期画面から子音２画面に切り替わり、該画面から「表１１６」キーを押下げると（信号９）次に母音１画面に切り替わり、該画面から「表１１７」キーを押下げると（信号４）パッチム２画面に切り替わり、該画面から「表１１８」キーを押下げると（信号１）図右側の「表１１４」（コードＡ９４１）の文字か入力でき、３部班の文字は計４回の押下げで文字入力ができる。
【表１１４】
2016099748.tif 000116
【表１１５】
2016099748.tif 000117
【表１１６】
2016099748.tif 000118
【表１１７】
2016099748.tif 000119
【表１１８】
2016099748.tif 000120
【００２７】
図１２は「表１１９」の文字を入力しようとする時の展開図で、初期画面から「表１１９」と同じ文字構成集団の「表１２０」キーを押下げると（信号Ｆ）初期画面から子音２画面に切り替わり、該画面から「表１２１」キーを押下げると（信号２）次に母音２画面に切り替わり、該画面から「表１２２」キーを押下げると（信号１）パッチム３画面に切り替わり、該画面から「表１２３」キーを押下げると（信号４）図右側の「表１１９」（コードＦ２１４）の文字か入力でき、３部班の文字は計４回の押下げで文字入力ができる。
【表１１９】
2016099748.tif 000121
【表１２０】
2016099748.tif 000122
【表１２１】
2016099748.tif 000123
【表１２２】
2016099748.tif 000124
【表１２３】
2016099748.tif 000125
【００２８】
以上、子音、母音、パッチムの各画面が順次表示され、該画面から表示キーを押下げ文字を入力したが、図１３の各画面にある英字表示の「Ｓ」のキーを「Ｓキー」とし、該Ｓキーを先に押下げ、該画面の子音、母音、パッチムの部位を次に押下げると該選択部位が矢印で示す１部文字に変更され文字確定する。
【００２９】
Ｓキーの使用について、図１３でのＳキーには画面（組）毎に、初めの３桁としてゴード用の数値が決まっていて、コード数値による文字入力の過程を示す。
子音画面１で先に「Ｓ」（０１０のコード数値）キーを押下げ、「表１２４」（４キー）を押下げると「表１２４」（コード０１０４）が入力される。
子音画面２で先に「Ｓ」（０２０のコード数値）キーを押下げ、「表１２５」（４）キーを押下げると「表１２５」（コード０２０４）が入力される。
母音画面１で先に「Ｓ」（０３０のコード数値）キーを押下げ、「表１２６」（２）キーを押下げると「表１２６」（コード０３０２）が入力される。
母音画面２で先に「Ｓ」（０４０のコード数値）キーを押下げ、「表１２７」（Ｂ）キーを押下げると「表１２７」（コード０４０Ｂ）が入力される。
パッチム画面１で先に「Ｓ」（０５０のコード数値）キーを押下げ、「表１２８」（２）キーを押下げると「表１２８」（コード０５０２）が入力される。
パッチム画面２で先に「Ｓ」（０６０のコード数値）キーを押下げ、「表１２９」（２）キーを押下げると「表１２９」（コード０６０２）が入力される。
パッチム画面３で先に「Ｓ」（０７０のコード数値）キーを押下げ、「表１３０」（６）キーを押下げると「表１３０」（コード０７０６）が入力される。
【表１２４】
2016099748.tif 000126
【表１２５】
2016099748.tif 000127
【表１２６】
2016099748.tif 000128
【表１２７】
2016099748.tif 000129
【表１２８】
2016099748.tif 000130
【表１２９】
2016099748.tif 000131
【表１３０】
2016099748.tif 000132
【００３０】
上記説明以外による画面の表示方法の違いによるコード文字の設定方法及び入力過程を以下に示す。
【００３１】
図１４は「表１３１」の文字を入力しようとする時の展開図で、初期画面から「表１３１」と同じ文字構成集団の「表１３２」キーを押下げると（信号０）、次の画面として「０１０」の最初の３桁に「０からＢ」を追加されて出来た文字コード「０１００から０１０Ｂ」の文字が０１０画面のように表示され、該画面から「表１３３」キーを押下げると（信号２）、次の画面として「００」の最初の２桁に二番目の信号を合わせた「００２」に「０からＢ」を追加されて出来た文字コード「００２０から００２Ｂ」の文字が００２画面のように表示され、該画面から「表１３１」キーを押下げると（信号６）図右側の「表１３１」（コード００２６）の文字か入力でき、２部班の文字は計３回の押下げで文字入力ができる。
【表１３１】
2016099748.tif 000133
【表１３２】
2016099748.tif 000134
【表１３３】
2016099748.tif 000135
【００３２】
図１５は「表１３４」の文字を入力しようとする時の展開図で、初期画面から「表１３４」と同じ文字構成集団の「表１３５」キーを押下げると（信号５）、次の画面として「０１０」の最初の３桁に「０からＢ」を追加されて出来た文字コード「０１００から０１０Ｂ」の文字が０１０画面のように表示され、該画面から「表１３６」キーを押下げると（信号３）、次の画面として「１１」の最初の２桁に二番目の信号を合わせた「１１３」に「０からＢ」を追加されて出来た文字コード「１１３０から１１３Ｂ」の文字が１１３画面のように表示され、該画面から「表１３７」キーを押下げると（信号２）、最初に入力された信号「５」と二番目に入力された「３」と三番目に入力された「２」を合わせた「５３２」に「０からＢ」を追加されて出来た文字コード「５３２０から５３２Ｂ」の文字が５３２画面のように表示され、該画面から「表１３４」キーを押下げると（信号５）図右側の「表１３４」（コード５３２５）の文字か入力でき、３部班の文字は計４回の押下げで文字入力ができる。
【表１３４】
2016099748.tif 000136
【表１３５】
2016099748.tif 000137
【表１３６】
2016099748.tif 000138
【表１３７】
2016099748.tif 000139
【００３３】
図１６は「表１３８」の文字を入力しようとする時の展開図で、初期画面から「表１３８」と同じ文字構成集団の「表１３９」キーを押下げると（信号Ａ）、次の画面として「０２０」の最初の３桁に「０からＢ」を追加されて出来た文字コード「０２００から０２０Ｂ」の文字が０２０画面のように表示され、該画面から「表１４０」キーを押下げると（信号９）、次の画面として「２２」の最初の２桁に二番目の信号を合わせた「２２９」に「０からＢ」を追加されて出来た文字コード「２２９０から２２９Ｂ」の文字が２２９画面のように表示され、該画面から「表１４１」キーを押下げると（信号４）、最初に入力された信号「Ａ」と二番目に入力された「９」と三番目に入力された「４」を合わせた「Ａ９４」に「０からＢ」を追加されて出来た文字コード「Ａ９４０からＡ９４Ｂ」の文字がＡ９４画面のように表示され、該画面から「表１３８」キーを押下げると（信号１）図右側の「表１３８」（コードＡ９４１）の文字か入力でき、３部班の文字は計４回の押下げで文字入力ができる。
【表１３８】
2016099748.tif 000140
【表１３９】
2016099748.tif 000141
【表１４０】
2016099748.tif 000142
【表１４１】
2016099748.tif 000143
【００３４】
図１７は「表１４２」の文字を入力しようとする時の展開図で、図左側の初期画面から「表１４２」と同じ文字構成集団の「表１４３」キーを押下げると（信号Ｆ）、次の画面として「０２０」の最初の３桁に「０からＢ」を追加されて出来た文字コード「０２００から０２０Ｂ」の文字が０２０画面のように表示され、該画面から「表１４４」キーを押下げると（信号２）、次の画面として「３３」の最初の２桁に二番目の信号を合わせた「３３２」に「０からＢ」を追加されて出来た文字コード「３３２０から３３２Ｂ」の文字が３３２画面のように表示され、該画面から「表１４５」キーを押下げると（信号１）、最初に入力された信号「Ｆ」と二番目に入力された「２」と三番目に入力された「１」を合わせた「Ｆ２１」に「０からＢ」を追加されて出来た文字コード「Ｆ２１０からＦ２１Ｂ」の文字がＦ２１画面のように表示され、該画面から「表１４２」キーを押下げると（信号４）図右側の「表１４２」（コードＦ２１４）の文字か入力でき、３部班の文字は計４回の押下げで文字入力ができる。
【表１４２】
2016099748.tif 000144
【表１４３】
2016099748.tif 000145
【表１４４】
2016099748.tif 000146
【表１４５】
2016099748.tif 000147
【００３５】
数式を交え以下に説明する
一回目キー信号を「♯１」とし、
二回目キー信号を「♯２」とし、
三回目キー信号を「♯３」とし、
四回目キー信号を「♯４」とし、
「０、１、２、３、４、５、６、７、８、９、Ａ、Ｂ」の各信号をまとめて「α」とし、計算時（１０進数）「Ａ」を１０、「Ｂ」を１１、「Ｃ」を１２、「Ｄ」を１３、「Ｅ」を１４、「Ｆ」を１５と定義する。
【００３６】
一回目キー押下げ（♯１）で
ＩＦ（ＯＲ（”０”，”１”，”４”，”５”，”８”，”９”，”Ｃ”，”Ｄ”）＝♯１，”０１０”＆α，”０２０”＆α）
ＩＦ（ＯＲ（”２”，”３”，”６”，”７”，”Ａ”，”Ｂ”，”Ｅ”，”Ｆ”）＝♯１，”０２０”＆α，”０１０”＆α）のどちらかが適用され
「表１４６」→１回目が「０」信号なので「０１０＆α」になる。
「表１４７」→１回目が「５」信号なので「０１０＆α」になる。
「表１４８」→１回目が「Ａ」信号なので「０２０＆α」になる。
「表１４９」→１回目が「Ｆ」信号なので「０２０＆α」になる。
【表１４６】
2016099748.tif 000148
【表１４７】
2016099748.tif 000149
【表１４８】
2016099748.tif 000150
【表１４９】
2016099748.tif 000151
【００３７】
二回目キー押下げ（♯２）で
ＭＯＤ（♯１，４）＆ＭＯＤ（♯１，４）＆♯２＆αが適用され
「表１４６」→１回目が「０」信号で２回目が「２」信号なので「００２＆α」（０を４で割った余りは０）の表示画面になる
「表１４７」→１回目が「５」信号で２回目が「３」信号なので「１１３＆α」（５を４で割った余りは１）の表示画面になる
「表１４８」→１回目が「Ａ」信号で２回目が「９」信号なので「２２９＆α」（Ａ（１０）を４で割った余りは２）の表示画面になる。
「表１４９」→１回目が「Ｆ」信号で２回目が「２」信号なので「３３２＆α」（Ｆ（１５）を４で割った余りは３）の表示画面になる。
【００３８】
三回目キー押下げ（♯３）で
２部班には
ＭＯＤ（♯１，４）＆ＭＯＤ（♯１，４）＆♯２＆♯３（文字確定）が適用され
３部班には
♯１＆♯２＆♯３＆αが適用され
「表１４６」→１回目が「０」信号で２回目が「２」信号でで３回目が「６」信号で２部班なので「００２６」の文字確定。
「表１４７」→１回目が「５」信号で２回目が「３」信号でで３回目が「２」信号で３部班なので「５３２＆α」の表示画面になる。
「表１４８」→１回目が「Ａ」信号で２回目が「９」信号でで３回目が「４」信号で３部班なので「Ａ９４＆α」の表示画面になる。
「表１４９」→１回目が「Ｆ」信号で２回目が「２」信号でで３回目が「１」信号な３部班なので「Ｆ２１＆α」の表示画面になる。
【００３９】
四回目キー押下げ（♯４）で
♯１＆♯２＆♯３＆♯４が適用され
「表１４７」→１回目が「５」信号で２回目が「３」信号でで３回目が「２」信号で４回目が「５」信号で３部班なので「５３２５」の文字確定。
「表１４８」→１回目が「Ａ」信号で２回目が「９」信号でで３回目が「４」信号で４回目が「１」信号で３部班なので「Ａ９４１」の文字確定。
「表１４９」→１回目が「Ｆ」信号で２回目が「２」信号でで３回目が「１」信号で４回目が「４」信号で３部班なので「Ｆ２１４」の文字確定。
【実施例２】
【００４０】
携帯電話の実施として、スマートフォンの入力では、文字の表示とキーが同じであるが、該文字の表示の替りに携帯電話の表示画面に文字と子音、母音、パッチムの部位等がキーの押下げ毎に案内として表示され、該表示キーのキー部分の替りにデンワキーがあり、該デンワキーには押下げる案内用に文字と子音、母音、パッチムの部位等が表記されていて、１２個のキー（デンワキー）での操作を図とキー番号で入力過程を示す。
【００４１】
図１８は電話番号を入力するデンワキーを具備し、該デンワキーに文字入力の案内表示を記した携帯電話の図で、図１９は図１８のデンワキーを抜粋した図で、キー毎に押下げることで選択できる子音、母音、パッチムの部位を表記したものである。
【００４２】
図２０は携帯電話の表示画面内で表示される初期案内の図で、スマートフォンの１６のマス目状から成る初期画面の右側の列を削除した状態で、パッチム３の部位のある文字以外の操作方法が同じである。
【００４３】
図２０の初期案内を参考に図１９で示すキーから、入力しようとする文字構成と同じ代表文字の表記されたキーを押下げると、該代表文字が子音１を含む文字なら図２１の子音１案内が表示され子音２の部位を含む文字なら子音２案内が表示される。
【００４４】
最初に選択した代表文字による案内の表示順はスマートフォンと同じで、図２２は２回目のキー押下げにより表示される母音１案内と母音２案内の案内表示で２部班の文字は、今回の３回目の押下げにより文字確定する。
【００４５】
図２３は３部班の代表文字選択による３回目の押下げでパッチム１案内とパッチム２案内が表示され、４回目の押下げ操作により文字が決定するが、パッチム１案内とパッチム２案内の中にある英字表示の「Ｗ」を「Ｗキー」とし、Ｗキーを４回目として押下げるとパッチム３案内の表示に変化し、該案内から５回目の押下げにより、初期画面で不足していた「表１５０」、「表１５１」、「表１５２」、「表１５３」代表の文字選択を可能にした。
【表１５０】
2016099748.tif 000152
【表１５１】
2016099748.tif 000153
【表１５２】
2016099748.tif 000154
【表１５３】
2016099748.tif 000155
【００４６】
図２４は携帯電話の文字入力の待機状態からデンワキー「１」キーの押下げにより、図左側に示すようにカーソルの下に子音１案内が表示されているが各案内は携帯電話の表示画面からはみ出さないようにカーソルの下に表示されていて、次に「１」キーの押下げにより、図中央に示すよう「表１５４」が選択されカーソル上に表示され、カーソルの下に母音１案内が表示され、次に「７」キーの押下げにより、図右側に示すよう「表１５５」が文字確定し、図が示すようにカーソルが次の文字入力の待機状態（初期案内不表示）になっている。
【表１５４】
2016099748.tif 000156
【表１５５】
2016099748.tif 000157
【００４７】
図２５は文字入力操作の途中で、図左側がカーソルの下にパッチム１案内が表示されていて、「５」キーの押下げにより、図中央に示すように「表１５６」が選択され、「表１５７」が文字確定し「１」キーの押下げにより、図右側に示すようにカーソルが入力待ち状態で、該カーソルの下に子音１案内が表示されている。
【表１５６】
2016099748.tif 000158
【表１５７】
2016099748.tif 000159
【００４８】
図２６は携帯電話の表示画面に定められた位置に案内が表示されていて、キー操作毎に必要な案内が繰り返し表示され、図２６は文字入力操作の途中で、図左端の携帯電話が待機状態から「１」キーの押下げにより、図中間左側の携帯電話の表示画面に子音１案内表が表示され「４」キーの押下げにより、図中間右側の携帯電話の表示画面内のカーソルに「表１５８」の子音が表示され、母音１案内が所定の位置に表示され、「６」キーの押下げにより、図右端の携帯電話の表示画面内のカーソルの左に「表１５９」の子音が表示されている。
【表１５８】
2016099748.tif 000160
【表１５９】
2016099748.tif 000161
【実施例３】
【００４９】
図２７は選択キー（左）とシフトキー（右）の２個のキーによる文字入力時の案内表示で、シフトキーの押下げで「表１６０」と「表１６１」を交互に表示し、左側の枠が文字表示で右側の枠がシフトキーの案内になる。
【表１６０】
2016099748.tif 000162
【表１６１】
2016099748.tif 000163
【００５０】
スマートフォンのように子音、母音、パッチムを組分けし、先に各組の選別の後に該組の文字選択により文字を確定しカーソルに転記する。
【００５１】
初期段階で画面上には「表１６２」が表示されていて、以下入力方法を示す。
シフトキー押下げ毎で「表１６２」と「表１６３」の交互の表示。
「表１６２」選択で「表１６４」の巡回表示。
「表１６３」選択で「表１６５」の巡回表示。
ロ）又はハ）で押下げると「表１６６」と「表１６７」の交互の表示。
「表１６６」選択で「表１６８」の巡回表示。
「表１６７」選択で「表１６９」の巡回表示。
ホ）又はヘ）で押下げると「表１６２」と「表１６３」と「表１７０」の交互の表示。
ホ）又はヘ）で選択維持（押下げたまま）と同時にシフトキー押下げでニ）とト）で選択された子音と母音の２部文字が確定し、カーソルに転記され、イ）に戻る。
「表１６２」選択で「表１６４」の巡回表示。
「表１６３」選択で「表１７１」の巡回表示。
「表１７０」選択で「表１７２」の巡回表示。
リ）又はヌ）又はル）での選択文字をパッチムとし、ニ）とト）で選択された子音と母音にパッチムを加えた３部文字が確定し、カーソルに転記され、イ）に戻る。
シフトキー押下げで表示される子音、母音、パッチムに対して、シフトキーを押下げたままの状態で表示されている子音、母音、パッチムを押下げると、該子音、母音、パッチムの部位が１部文字として確定し、カーソルに転記され、イ）に戻る。
以上２個のキーでの文字選択方法を記した。
【表１６２】
2016099748.tif 000164
【表１６３】
2016099748.tif 000165
【表１６４】
2016099748.tif 000166
【表１６５】
2016099748.tif 000167
【表１６６】
2016099748.tif 000168
【表１６７】
2016099748.tif 000169
【表１６８】
2016099748.tif 000170
【表１６９】
2016099748.tif 000171
【表１７０】
2016099748.tif 000172
【表１７１】
2016099748.tif 000173
【表１７２】
2016099748.tif 000174
【００５２】
図２８はキー数５個での入力案内の表示で、初期設定図からシフトキー「Ｓ」により順次文字の集団を選択できるよう案内表示が変更される図であるが、図２９は、図２８ての文字表示の配置を変更した図であり、以下に入力方法を示す。
【００５３】
表１７３は子音１組を「Ａ組」とし、子音２組を「Ｂ組」とし、母音１組を「Ｃ組」とし、母音２組を「Ｄ組」とし、パッチム１組を「Ｅ組」とし、パッチム２組を「Ｆ組」とし、パッチム３組を「Ｇ組」として分類された表で、表の左に表示されている英字表記が各組の名称で、左から２番目の列が組の中で再度「ａ」、「ｂ」、「ｃ」の班として分類され、各班の行には４個以内の部位が所属し、上段の行には個々の末尾番号が表示してある。
【表１７３】
2016099748.tif 000175
【００５４】
表１７３のＡ組に表示されているａ班には「表１７４」の４個の部位が所属し、ｂ班には「表１７５」の４個の部位が所属し、ｃ班には「表１７６」の２個の部位が所属し、ａ班の「表１７７」はＡ組のａ班の０番になるので「Ａａ０」のコード番号の部位になり、「表１７８」はＡ組のａ班の１番になるので「Ａａ１」のコード番号の部位になり、「表１７９」はＡ組のａ班の２番になるので「Ａａ２」のコード番号の部位になり、「表１８０」はＡ組のａ班の３番になるので「Ａａ３」のコード番号の部位になり、全組と全班と番号によるコード番号の付けたかは全部位に共通している。
【表１７４】
2016099748.tif 000176
【表１７５】
2016099748.tif 000177
【表１７６】
2016099748.tif 000178
【表１７７】
2016099748.tif 000179
【表１７８】
2016099748.tif 000180
【表１７９】
2016099748.tif 000181
【表１８０】
2016099748.tif 000182
【００５５】
１部文字のコード番号は数値の「０」を６個並べた後に各部位のコード番号を後ろに付けたコード番号となり、２部文字は「０」を３個並べた後に子音部位のコード番号と母音部位のコード番号を順番に合わせたコード番号となり、３部文字は子音部位のコード番号と母音部位のコード番号とバッチム部位のコード番号を順番に合わせたコード番号となる。
【００５６】
代表文字に表される各集団には選択する部位の順番が決められていて、第１集団の選択によりＡ組のａ班が表示され、希望する文字がなければ「Ｓ」表記のキーをＳキーとし、Ｓキーを押下げるとｂ班が表示され、希望する文字がなければＳキーを押下げるとｃ班が表示され、希望する文字を押下げ、次がＣ組のａ班が表示され、希望する文字がなければＳキーを押下げるとｂ班が表示され、希望する文字がなければＳキーを押下げるとｃ班が表示され、希望する文字を押下げることで２部文字の入力ができる。
【００５７】
第１集団による文字入力の方法を踏まえ簡素化して示す。
第２集団からはＡ組のａ班、ｂ班、ｃ班から選択し、次がＣ組のａ班、ｂ班、ｃ班から選択し、次にＥ組のａ班、ｂ班、ｃ班から選択することで３部文字の入力ができる。
第３集団からはＡ組のａ班、ｂ班、ｃ班から選択し、次がＣ組のａ班、ｂ班、ｃ班から選択し、次にＦ組のａ班、ｂ班から選択することで３部文字の入力ができる。
第４集団からはＡ組のａ班、ｂ班、ｃ班から選択し、次がＣ組のａ班、ｂ班、ｃ班から選択し、次にＧ組のａ班、ｂ班、ｃ班から選択することで３部文字の入力ができる。
第５集団からはＡ組のａ班、ｂ班、ｃ班から選択し、次がＤ組のａ班、ｂ班、ｃ班から選択することで２部文字の入力ができる。
第６集団からはＡ組のａ班、ｂ班、ｃ班から選択し、次がＤ組のａ班、ｂ班、ｃ班から選択し、次にＥ組のａ班、ｂ班、ｃ班から選択することで３部文字の入力ができる。
第７集団からはＡ組のａ班、ｂ班、ｃ班から選択し、次がＤ組のａ班、ｂ班、ｃ班から選択し、次にＦ組のａ班、ｂ班から選択することで３部文字の入力ができる。
第８集団からはＡ組のａ班、ｂ班、ｃ班から選択し、次がＤ組のａ班、ｂ班、ｃ班から選択し、次にＧ組のａ班、ｂ班、ｃ班から選択することで３部文字の入力ができる。
第９集団からはＢ組のａ班、ｂ班、ｃ班から選択し、次がＣ組のａ班、ｂ班、ｃ班から選択することで２部文字の入力ができる。
第１０集団からはＢ組のａ班、ｂ班、ｃ班から選択し、次がＣ組のａ班、ｂ班、ｃ班から選択し、次にＥ組のａ班、ｂ班、ｃ班から選択することで３部文字の入力ができる。
第１１集団からはＢ組のａ班、ｂ班、ｃ班から選択し、次がＣ組のａ班、ｂ班、ｃ班から選択し、次にＦ組のａ班、ｂ班から選択することで３部文字の入力ができる。
第１２集団からはＢ組のａ班、ｂ班、ｃ班から選択し、次がＣ組のａ班、ｂ班、ｃ班から選択し、次にＧ組のａ班、ｂ班、ｃ班から選択することで３部文字の入力ができる。
第１３集団からＢ組のａ班、ｂ班、ｃ班から選択し、次がＤ組のａ班、ｂ班、ｃ班から選択することで２部文字の入力ができる。
第１４集団からＢ組のａ班、ｂ班、ｃ班から選択し、次がＤ組のａ班、ｂ班、ｃ班から選択し、次にＥ組のａ班、ｂ班、ｃ班から選択することで３部文字の入力ができる。
第１５集団からはＢ組のａ班、ｂ班、ｃ班から選択し、次がＤ組のａ班、ｂ班、ｃ班から選択し、次にＦ組のａ班、ｂ班から選択することで３部文字の入力ができる。
第１６集団からはＢ組のａ班、ｂ班、ｃ班から選択し、次がＤ組のａ班、ｂ班、ｃ班から選択し、次にＧ組のａ班、ｂ班、ｃ班から選択することで３部文字の入力ができる。
【００５８】
表１８１のコード番号が「０００Ａａ２Ｃｂ１」で、表１８２のコード番号が「Ａａ３Ｄｂ０Ｅｂ１」で、表１８３のコード番号が「Ｂｃ０Ｃａ１Ｆａ１」で、表１８４のコード番号が「Ｂａ２Ｄａ２Ｇｂ０」である。
【表１８１】
2016099748.tif 000183
【表１８２】
2016099748.tif 000184
【表１８３】
2016099748.tif 000185
【表１８４】
2016099748.tif 000186
【００５９】
各班には、使用頻度の高い部位からａ班、ｂ班、ｃ班の順にを配列することで効率よく入力できる。
【００６０】
スマートフォンにおける１６マス目状のソフトキーの入力方法は、ハードキーでも可能で別途、案内の可視化（キーに表記、画面に表示等）が有効であり、１６の代表文字は変更可能である。
【図２６】
2016099748.tif 000187
【図１】
2016099748.tif 000188
【図２】
2016099748.tif 000189
【図３】
2016099748.tif 000190
【図４】
2016099748.tif 000191
【図５】
2016099748.tif 000192
【図６】
2016099748.tif 000193
【図７】
2016099748.tif 000194
【図８】
2016099748.tif 000195
【図９】
2016099748.tif 000196
【図１０】
2016099748.tif 000197
【図１１】
2016099748.tif 000198
【図１２】
2016099748.tif 000199
【図１３】
2016099748.tif 000200
【図１４】
2016099748.tif 000201
【図１５】
2016099748.tif 000202
【図１６】
2016099748.tif 000203
【図１７】
2016099748.tif 000204
【図１８】
2016099748.tif 000205
【図１９】
2016099748.tif 000206
【図２０】
2016099748.tif 000207
【図２１】
2016099748.tif 000208
【図２２】
2016099748.tif 000209
【図２３】
2016099748.tif 000210
【図２４】
2016099748.tif 000211
【図２５】
2016099748.tif 000212
【図２７】
2016099748.tif 000213
【図２８】
2016099748.tif 000214
【図２９】
2016099748.tif 000215